(57)【特許請求の範囲】
【請求項１】
左右１対の角管状の支柱の上端同士、および下端同士を、それぞれ横連結杆をもって互いに連結し、かつ、左右の支柱の対向面の適所から、上部横連結杆と左右の支柱との連結部である角部に向けて、交差状にブレースを張設してなる陳列棚等のフレーム構造において、
左右の支柱の対向面の適所に係合孔を設けるとともに、各ブレースの下端に、上向きに屈曲する係止部を形成して、この係止部を、前記係合孔に係止させ、
かつ、上部横連結杆を断面が下向きコ字形とするとともに、ブレースの先端部を、前記上部横連結杆の前後側壁間の内寸よりも若干短寸に折曲し、その折曲した先端部を、上部横連結杆の前後側壁間に挿嵌させて固定したことを特徴とする陳列棚等のフレーム構造。
【請求項２】
前記上部横連結杆を、断面が下向きコ字形の長寸の連結材の両端に、断面が下向きコ字形であって、縦方向の寸法が前記連結材の縦方向の寸法よりも大きく、かつ、左右のうち外側の一端に前記支柱と係止させるための上向きのスリットを設けた１対の取付金具を、前記連結材の両端に外嵌させて取付けることにより形成し、
前記ブレースの先端部を、前記取付金具の前後側壁間の内寸よりも若干短寸に折曲し、その折曲した先端部を、前記取付金具における前後側壁間に挿嵌させて固定したことを特徴とする請求項１記載の陳列棚等のフレーム構造。
【請求項３】
前記ブレースの下端に形成した係止部における屈曲した上向き部分の長さを、その係止部を係止させるための支柱の係合孔の上下方向の長さよりも、長寸としたことを特徴とする請求項１または２記載の陳列棚等のフレーム構造。
【発明の詳細な説明】
【０００１】
【発明の属する技術分野】
本発明は、陳列棚等のフレーム構造に関し、特に、左右の支柱と、それを連結する上下の横連結杆とを、ブレースを用いて、変形することがないように強固に連結したフレーム構造に関する。
【０００２】
【従来の技術】
前記のようなフレーム構造として、たとえば、登録実用新案第３０３５８３２号公報や特開2000-70084号公報によって開示された技術が公知である。
【０００３】
前者の公報に記載の考案は、図６に斜視図で示すように、鎖状のブレース(01)(01)の上端を上部横連結杆(02)の両端に、また、同じく下端を対向する各支柱(03)の下部に、それぞれボルト(04)により締結するとともに、各ブレース(01)の中間部にターンバックル(05)を設けたものである。
【０００４】
後者の公報に記載の発明は、ブレースが上下の固定棚の背面に張設され、かつ、ブレースの中間部に、ターンバックルを設けたものである
【０００５】
しかし、前者では、上下のボルト(04)(04)およびターンバックル(04)を必要とし、部品数が多く、そのためコストが嵩むとともに、ターンバックルが中央に露呈するため、見栄えがよくない。また、ターンバックル(05)の組付け、ボルト(04)の締結、およびブレースの張力調節を行うために、多くの手数を要するという問題がある。
【０００６】
また、後者では、ブレースが固定棚の背面に隠されるものの、やはり、ターンバックルをブレースの中間部に設けてあるため、部品コストが嵩み、かつ、ブレースの張力調節を要するという問題がある。
【０００７】
【発明が解決しようとする課題】
本発明は、前記の問題に鑑み、部品数を削減して、組立の手数を軽減するとともに、ターンバックルを使用することなく、安価で、かつ外観上も見栄えがよい、機械的な強度も強固な、陳列棚等のフレーム構造を提供することを目的とする。
【０００８】
【課題を解決するための手段】
本発明によると、上記課題は、次のようにして解決される。
(１) 左右１対の角管状の支柱の上端同士、および下端同士を、それぞれ横連結杆をもって互いに連結し、かつ、左右の支柱の対向面の適所から、上部横連結杆と左右の支柱との連結部である角部のうちの対角部に向けて、交差状にブレースを張設してなる陳列棚等のフレーム構造において、
左右の支柱の対向面の適所に係合孔を設けるとともに、各ブレースの下端に、上向きに屈曲する係止部を形成して、この係止部を、前記係合孔に係止させ、
かつ、上部横連結杆を断面が下向きコ字形とするとともに、ブレースの先端部を、前記上部横連結杆の前後側壁間の内寸よりも若干短寸に折曲し、その折曲した先端部を、上部横連結杆の前後側壁間に挿嵌させて固定する。
【０００９】
（２）上記（１）項において、前記上部横連結杆を、断面が下向きコ字形の長寸の連結材の両端に、断面が下向きコ字形であって、縦方向の寸法が前記連結材の縦方向の寸法よりも大きく、かつ、左右のうち外側の一端に前記支柱と係止させるための上向きのスリットを設けた１対の取付金具を、前記連結材の両端に外嵌させて取付けることにより形成し、
前記ブレースの先端部を、前記取付金具の前後側壁間の内寸よりも若干短寸に折曲し、その折曲した先端部を、前記取付金具における前後側壁間に挿嵌させて固定する。
【００１０】
（３）上記（１）項または（２）項において、前記ブレースの下端に形成した係止部における屈曲した上向き部分の長さを、その係止部を係止させるための支柱の係合孔の上下方向の長さよりも、長寸とする。
【００１１】
【発明の実施の形態】
図１は、本発明のフレーム構造の一実施形態を示す正面図ある。
左右１対の支柱(１)(１)の上端同士、および下端同士を、それぞれ上下の横連結杆(２)(３)をもって互いに連結してある。
【００１２】
両支柱(１)(１)の下端には、前後方向に延びる脚杆(４)が設けられ、その下面適所には、アジャスター(５)が取付けられている。支柱(１)は、角管状をなし、その前後面には、棚板用ブラケット(図示せず)を取付けるための係止孔(６)が、上下方向に適宜の間隔をもって穿設されている。
【００１３】
左右の支柱(１)(１)間には、１対のブレース(７)(７)が交差状に張設されている。
【００１４】
図２は、図１に示すフレーム構造におけるブレース(７)の上下端の取付形態を示す部分拡大分解斜視図であり、図３、図４は、それぞれ、図１における破線円(Ａ)内を拡大した正面図、および平面図、図５は、図３におけるＶ−Ｖ線縦断面図である。
【００１５】
図２に示すように、左右の支柱(１)(１)の対向面(1a)(1a)には、ブレース(７)の下端に設けた上向きの係止部(８)を係止させるための縦長の係合孔(９)が設けられている。
【００１６】
ブレース(７)の係止部(８)の上向き部分(8a)を、前記係合孔(９)から支柱(１)内に挿入して、屈曲部(8b)の上面(8c)を、係合孔(９)の上縁(9a)に当接させることによって、ブレース(７)の係止部(８)は、係合孔(９)に係止させられる。
【００１７】
ブレース(７)の上端は、上部横連結杆(２)と左右の支柱(１)(１)との連結部である角部に固定されている。すなわち、各ブレース(７)の上端を、前記角部のうちの対角部に向けて、１対のブレース(７)が交差状になるようにして、各角部に固定されている。
【００１８】
ブレース(７)の上端を、前記角部へ固定する具体的形態は、下記のとうりである。
上部横連結杆(２)の端部に取付金具(11)を固着し、この取付金具(11)をもって、上部横連結杆(２)を左右の支柱(１)(１)に取付け、かつ取付金具(11)に、ブレース(７)の上端を固定してある。
【００１９】
詳述すると、上部横連結杆(２)としては、断面が下向きコ字形の長寸の連結材(10)を用い、図３に示すように、断面が下向きコ字形であって、内側に位置する端部の縦方向の寸法Ｈ1が、連結材(10)の縦方向の寸法Ｈ0とほぼ同じであり、かつ、外側に位置する端部の縦方向の寸法Ｈ2が、前記連結材(10)の縦方向の寸法Ｈ0よりも大きく、外側端部近傍に下縁から上向きのスリット(12)(12)を設けた取付金具(11)を、前記連結材(10)の両端に外嵌させて溶着し、上部横連結杆(２)を形成してある。
【００２０】
上部横連結杆(２)を左右の支柱(１)(１)に取付けるには、前記取付金具(11)のスリット(12)を、左右の角管状支柱(１)(１)の対向面(1a)(1a)の上端より設けたスリット(1b)(1b)へ嵌合する。
【００２１】
ブレース(７)は、ブレース線条(13)と、その上端に溶着された取付部材(14)とからなっている。取付部材(14)は、先端部(16)を、前記上部横連結杆(２)の取付金具(11)の前後側壁(15)(15)間の内寸Ｗよりも若干短寸Ｌに折曲した側面視倒立Ｌ字状のものであり、前記折曲された先端部(16)の手前に、ボルト挿通孔(17)を穿設してある。
【００２２】
ブレース(７)を、上部横連結杆(２)の取付金具(11)へ固定するには、ブレース(７)における取付部材(14)の先端部(16)を、前記取付金具(11)の前後側壁(15)(15)間に嵌入し、かつ、取付部材(14)のボルト挿通孔(17)と、取付金具(11)のボルト挿通孔(18)とへ、ボルト(19)を挿入し、ナット(20)締めする。
【００２３】
ブレース(７)を張設する際の具体的な作業手順は、次のとおりである。
まず、下部横連結杆(３)を未だ取付けていない状態、あるいは、一方の支柱(１)の下端のみに下部横連結杆(３)を取付けた状態において、１対の支柱(１)(１)を、上部横連結杆(２)で連結する。
【００２４】
次いで、１対のブレース(７)(７)の下端の係止部(８)(８)を、それぞれ支柱(１)の対向面(1a)の適所の係合孔(９)に係止させる。この場合、ブレース(７)の係止部(８)における屈曲した上向き部分(8a)の長さを、支柱(１)の係合孔(９)の上下方向の長さよりも、長寸にすることによって、係止後に、１対のブレース(７)(７)を交差するように傾斜させて、前記係止が外れることを防止することができる。特に、ブレース(７)における係止部(８)の屈曲させた内角θを、図２に示すように鋭角にすることにより、係止部(８)を支柱(１)の内壁に接するようにするとよい。
【００２５】
次いで、左右の支柱(１)(１)の下端間の幅をやや狭めて、各ブレース(７)の上端を、上部横連結杆(２)と左右の支柱(１)(１)との連結部である対角部に、前記したボルト(19)とナット(20)を用いて、それぞれ固着する。
【００２６】
その後、左右の支柱(１)(１)の下端間の幅を広げて、両支柱(１)(１)の下端を下部横連結杆(３)に、あるいは、一方の支柱(１)の下端が既に下部横連結杆(３)に固定してある場合は、他方の支柱(１)の下端を下部横連結杆(３)に固定する。支柱（１）の下端を下部横連結杆(３)に固定するには、適宜ボルト、ナットを用いて行えばよい。
【００２７】
このような作業手順で組み立てることにより、ターンバックルを用いずに、ブレース(７)を張設した状態とし、方形のフレーム形状が変形することがない強固なフレーム構造とすることができる。
【００２８】
【発明の効果】
本発明は、次のような効果を奏する。
（１）請求項１記載の発明によれば、ブレースの下端の、支柱への固定が、ボルトナットを用いずに、単に、係止させるだけでよいため、ブレースの下端もボルトナットを用いて固定していた従来の技術に比較して、部品数を削減できるとともに、組立や分解時の手数を軽減することができる。また、ブレースを張設するためのターンバックルも不要であるため、ターンバックルによる調節手数を省き、かつ安価なものとすることができる。
ブレースの先端部を、上部横連結杆の前後側壁間の内寸よりも若干短寸に折曲し、その折曲した先端部を、上部横連結杆の前後側壁間に挿嵌させてあるため、ブレースの前後方向のぐらつきは防止される。
さらに、ブレースを強く張設して、方形のフレーム形状が変形することがない強固なフレーム構造を得ることができる。
【００２９】
（２）請求項２記載の発明によれば、上部横連結杆の取付金具のスリットを利用して、支柱に取付けてあるため、その取付けが簡便であり、かつブレースの先端部を、取付金具の前後側壁間の内寸よりも若干短寸に折曲し、その折曲した先端部を、取付金具の前後側壁内に挿嵌させてあるため、ブレースの前後方向のぐらつきを防止することができる。
【００３０】
（３）請求項３記載の発明によれば、ブレースの係止部を支柱の係合孔に係止させた後に、１対のブレースを交差するように傾斜させることにより、前記係止が外れることを防止することができる。
【図面の簡単な説明】
【図１】本発明のフレーム構造の一実施形態を示す正面図ある。
【図２】図１に示すフレーム構造におけるブレースの上下端の取付形態を示す部分拡大分解斜視図である。
【図３】図１における破線円内を部分拡大した正面図である。
【図４】同じく、図１における破線円内を部分拡大した平面図である。
【図５】図３におけるＶ−Ｖ線縦断面図である。
【図６】従来例の陳列棚を示す斜視図である。
【符号の説明】
(１)支柱
(1a)対向面
(1b)スリット
(２)上部横連結杆
(３)下部横連結杆
(４)脚杆
(５)アジャスター
(６)係止孔
(７)ブレース
(８)係止部
(8a)上向き部分
(8b)屈曲部
(8c)上面
(９)係合孔
(9a)上縁
(10)連結材
(11)取付金具
(12)スリット
(13)ブレース線条
(14)取付部材
(15)側壁
(16)先端部
(17)(18)ボルト挿通孔
(19)ボルト
(20)ナット
Ｈ0、Ｈ1、Ｈ2寸法
Ｌ短寸
Ｗ内寸
θ内角
(01)ブレース
(02)上部横連結杆
(03)支柱
(04)ボルト
(05)ターンバックル
【図１】
0003894425.tif 000002
【図２】
0003894425.tif 000003
【図３】
0003894425.tif 000004
【図４】
0003894425.tif 000005
【図５】
0003894425.tif 000006
【図６】
0003894425.tif 000007